(57)【要約】【課題】情報の魅力を増加して情報をユーザに提供する。【解決手段】  情報提供部１６は、位置測定部１４からユーザの位置を入力すると、楽器番号変換テーブル３０から位置に対応した楽器番号を求める。情報提供部１６は、楽器データベース４０から楽器番号に対応したデータを検索し、楽器番号に対応するデータが存在する場合には、楽器番号に対応したデータの使用制限を解除する。【選択図】図３
2005084755.tif 000002
【特許請求の範囲】
【請求項１】
ユーザに提供する提供情報と位置情報とを関連付けて記憶する記憶手段と、
ユーザの位置を測定する位置測定手段と、
上記位置測定手段が測定したユーザの位置に関連付けられた提供情報を検索し、当該提供情報をユーザに提供する情報提供手段と
を備えることを特徴とする情報提供システム。
【請求項２】
提供情報は、使用制限がかけられており、
上記情報提供手段は、上記使用制限を解除することによりユーザに情報を提供すること
を特徴とする請求項１記載の情報提供システム。
【請求項３】
上記記憶手段は、外部ネットワーク上に存在し、
上記情報提供手段は、外部ネットワーク上の記憶手段から提供情報を受信すること特徴とする請求項１記載の情報提供システム。
【請求項４】
上記提供情報は、民族楽器の音源データを含むことを特徴とする請求項１記載の情報提供システム。
【請求項５】
上記提供情報は、上記民族楽器に関する文字情報及び画像情報を含むことを特徴とする請求項１記載の情報提供システム。
【請求項６】
民族楽器の音源データと、上記民族楽器の使用する位置とを関連付けて記憶する記憶手段と、
ユーザの位置を測定する位置測定手段と、
上記ユーザの位置で使用される民族楽器を検索し、当該民族楽器の音源データをユーザに提供する情報提供手段と、
上記音源データを音に変換して出力する音声出力手段と、
上記発音手段が発音する音階を入力する入力手段と
を備えることを特徴とする電子楽器。
【請求項７】
外部ネットワークに接続する接続手段を備え、
上記情報提供手段は、上記選択手段が選択した民族楽器の音源データが上記音源データ記憶部に存在しない場合、外部ネットワーク上のサーバから上記民族楽器の音源データを受信することを特徴とする請求項６記載の電子楽器。
【請求項８】
上記記憶手段は、民族楽器に関する文字情報及び画像情報を記憶することを特徴とする請求項６記載の電子楽器。
【請求項９】
ユーザに提供する提供情報と位置情報とを関連付けて記憶する記憶手段と、
ユーザの位置を測定する位置測定手段と、
上記位置測定手段が測定したユーザの位置に関連付けられた提供情報を検索し、当該提供情報をユーザに提供する情報提供手段と
を備えることを特徴とする情報提供装置。
【請求項１０】
上記提供情報は、使用制限がかけられており、
上記情報提供手段は、上記使用制限を解除することによりユーザに情報を提供すること
を特徴とする請求項９記載の情報提供装置。
【請求項１１】
外部ネットワークに接続する接続手段を備え、
上記情報提供手段は、外部ネットワーク上のサーバから当該提供情報を受信することを特徴とする請求項９記載の情報提供装置。
【発明の詳細な説明】
【技術分野】
【０００１】
本発明は、位置に関する情報をユーザに提供する情報提供システム、情報提供装置、及び楽器の音源データをユーザに提供する電子楽器に関する。
【背景技術】
【０００２】
近年、通信技術やソフトウェア開発に伴う技術などが進化し、地球上のどこにいても様々な情報が入手できるようになっている。また、ネットワーク上の通信販売などを利用して自分が移動しなくとも目的の商品を入手することができるようになっている。
【０００３】
情報通信の発達や流通技術の発達は、生活を便利にしているが、いつでもどこでも商品や情報が手に入るとその商品や情報の魅力が減衰してしまうことがある。例えば、みやげ物や特産品は、旅先でしか手に入れられないものが多く販売しており、そのようなもの入手したときにはその物品に特別な感情を抱く。また、一般に流通しているものであっても製造所まで出向いて購入した焼き物や酒などは、購入した経緯や購入したときの状況などを思い出させるという付加価値を生じる。
【０００４】
従来、位置に対応した情報を提供するシステムとして、コンテンツに地図上の位置情報を付加し、ユーザが地図上の位置を選択すると、この位置に関する情報を提供するシステムが存在する（例えば、特許文献１参照）。
【０００５】
【特許文献１】特開２００１−１３４５９５号公報
【発明の開示】
【発明が解決しようとする課題】
【０００６】
特許文献１に記載したシステムでは、ユーザがどこにいても情報を入手することが原理的に可能である。そのため、入手した情報に対してユーザが特別な感情を抱くことはない。
【０００７】
本発明は、情報の魅力を増加して情報をユーザに提供する情報提供システム、情報提供装置、及び電子楽器を提供することを目的とする。
【課題を解決するための手段】
【０００８】
本発明にかかる情報提供システムは、ユーザに提供する提供情報と位置情報とを関連付けて記憶手段に記憶し、情報提供手段は、位置測定手段が測定したユーザの位置に関連付けられた提供情報を検索しユーザに提供する。
【０００９】
本発明にかかる情報提供装置は、ユーザに提供する提供情報と位置情報とを関連付けて記憶手段に記憶し、情報提供手段は、位置測定手段が測定したユーザの位置に関連付けられた提供情報を検索しユーザに提供する。
【００１０】
本発明にかかる電子楽器は、民族楽器の音源データと上記民族楽器を使用する位置とを関連付けて記憶部に記憶し、位置測定部が測定した位置で使用される民族楽器を検索し、当該民族楽器の音源データをユーザに提供する。発音手段は、入力手段から音階が入力されるとこの音階に対応する音色を発音する。
【発明の効果】
【００１１】
本発明の情報提供システムによれば、ユーザが所定の位置に到着したときに、その位置に関連付けられた特定の情報を取得することができる。
【発明を実施するための最良の形態】
【００１２】
以下、図面を参照して本発明を具体的に説明する。図１は、本発明の基本的な構成を示している。本発明は、ユーザに提供する情報を記憶する記憶部１と、ユーザの位置を測定する位置測定部２と、ユーザの移動に応じてユーザに情報を提供する情報提供部３とを備える。
【００１３】
本発明は、記憶部１に記憶された情報にはユーザの使用制限がかけられており、ユーザが特定の位置に到着するまで使用制限が解除されない。逆にいえば、ユーザがある位置に到着すると使用制限が解除されユーザに情報を提供する。このとき、ユーザは、既に存在する情報の使用制限が解除されただけであるにも関わらす、新たに情報を取得したような感覚を覚える。
【００１４】
情報提供部３は、位置と提供情報との関連を記憶し、位置測定部２から入力したユーザの位置に対応する情報をユーザに提供する。図２は、地図上の位置と情報との関連を模式的に示した図である。この図では、インドの位置にファイル「ＩＮＤＩＡ」が対応している。位置と情報との関連は、緯度経度と情報とを直接関連づけてもよいし、地図を複数の領域に区分して領域と情報とを関連付けてもよい。地図上の区分には、国や市町村のような行政的な区分、火山帯のような地形的な区分、文化的な区分などがある。また、地図上の点もしくは線と情報を関連付けてもよい。地図上の点には、山頂や源流のように地理的に特徴的な場所や建築物の所在地などがある。地図上の線には、ある武将の進軍軌跡や旧街道などがある。地図上の位置と情報とは、駅や公園のスタンプラリーのように位置と情報とが意味的に関連しなくてもよい。記憶部１に記憶する情報は、同類異種のものが好ましい。これは、同類で異なる情報の収集をユーザに楽しませるためである。
【００１５】
なお、記憶部１と、位置測定部２と、情報提供部３は、ネットワークを介して接続してもよい。例えば、ユーザが位置測定部２と、情報提供部３のみを備える情報端末を携帯し、必要な情報を記憶部１からダウンロードしてもよい。また、サーバに記憶部１と情報提供部３を備え、位置測定部２で測定した位置をサーバに送信し、サーバ内の情報提供部３が選択した情報をダウンロードするようにしてもよい。なお、上述したネットワークはＬＡＮ（Local Area Network）でもよい。
【実施例１】
【００１６】
本発明を適用した電子機器１０について説明する。この電子楽器１０は、ユーザの移動経験の増加に応じて、発音できる音色の種類が増加することを特徴とする。図３は、電子機器１０の構成を示すブロック図である。この電子機器１０は、電子機器１０全体の制御を行うＣＰＵ１１、制御プログラムや設定情報を記憶するＲＯＭ１２、ＣＰＵ１１の作業領域としてのＲＡＭ１３、ユーザの位置を測定する位置測定部１４、位置情報に関連する情報を記憶する記憶部１５、情報をユーザに提供する情報提供部１６、音階を入力する音階入力部１７、音階入力部１７に入力された音を出力する発音部１８と、楽器に関する情報を表示する表示部１９、外部ネットワークに接続するための通信制御部２０を備える。
【００１７】
情報提供部１６は、ユーザの位置情報に対応した音源データを記憶部１５から検索し、この音源データをユーザに提供する。情報提供部１６の情報提供方法について説明する。
【００１８】
第１の方法は、電子機器１０に内蔵された記憶部１５の情報を提供する方法である。この電子機器１０の購入時には、記憶部１５の音源データの一部又は全部には使用制限がかけられている。情報提供部１６は、ユーザが所定の位置に到着すると、位置に対応する情報の使用制限を解除し、ユーザに音源データを提供する。
【００１９】
第２の方法は、物理的に情報を更新する方法である。この場合、記憶部１５は、外部ネットワーク上のサーバ１００に存在する。情報提供部１６は、位置測定部１４から入力したユーザの位置に対応する音源データをサーバに要求する。次いで、情報提供部１６は、検索した情報をサーバ１００から受信する。本実施例では、まず、電子機器１０内の記憶部１５に情報が存在しない場合、サーバ１００から情報をダウンロードする。
【００２０】
図４は、情報提供部１６の情報提供処理を示すフローチャートである。情報提供部１６は、まず位置測定部１４からユーザの位置を取得し（ステップＳ１）、図５に示す楽器番号変換テーブル３０から位置に対応した楽器番号を求める（ステップＳ２）。楽器番号変換テーブル３０は、位置と音源データとを関連付けるものである。楽器番号変換テーブル３０は、緯度と経度に対応した縦横３６０×３６０のセルからなり、各セルには楽器番号が付けられている。楽器番号は、その地域に存在する民族楽器を示している。
【００２１】
セルの位置は、地図の左上隅を原点としたＸＹ座標で表現される。中心のセル（１８０、１８０）は、日付変更線と赤道の交点に対応する。情報提供部は、北緯と西経を負の値、南緯と東経を正の値に変換して中心のセルの座標（１８０、１８０）に加算する。例えば、北緯４０度、東経４４度の位置にユーザが到着すると、（１８０−４０、１８０＋４４）という演算を施してセルの座標（１４０、２２４）を算出する。
【００２２】
図６に示す音色データベース４０は、楽器のカテゴリ、楽器の名前、音源データ、楽器の写真、楽器の詳細な情報、楽器演奏画像など楽器に関する情報を記憶するものである。音色データベース４０は、どの楽器のデータを記憶しているかを示す楽器番号が付けられている。
【００２３】
情報提供部１６は、セルの座標を算出すると、セルに記述された楽器番号を基に音色データベース４０を検索する。そして、該当する楽器番号が示すデータの使用制限が既に解除されている場合には（ステップＳ３；ＹＥＳ）、新たな位置情報の入力を待機する（ステップＳ１）。一方、楽器番号が示すデータの使用制限が未だ解除されていない場合には、このデータが記憶部１５内の音色データベース４０に存在するか否かを判断する。ここで、音色データベース４０に音色が存在する場合（ステップＳ４；ＹＥＳ）、データの使用制限を解除する（ステップＳ５）。一方、音色データベース４０に楽器番号が存在しない場合（ステップＳ４；ＮＯ）、情報制御部１６は、外部ネットワーク上のサーバ１００に楽器番号を送信する（ステップＳ６）。サーバ１００は、楽器番号を基にサーバ１００内の音色データベース４０を検索し、楽器番号に適合した情報をユーザの電子楽器１０にダウンロードする（ステップＳ７）。
【００２４】
以上説明したように、本発明にかかる電子楽器１０は、発音できる音源の種類を故意に制限し、ユーザが移動するごとに制限を解除する。この電子楽器１０では、ユーザが電子楽器１０を携帯して移動することでユーザの電子楽器１０が成長していくという楽しみ方が加わる。また、位置に応じて楽器の音色が増えていくため、いつどこでどんな音色が得られるかわからないといった偶然性と驚きを楽しむことができる。さらに、得られる音色はユーザの移動履歴に関係のある音になるため、世界中の様々な種類の楽器の音色、楽器に関する詳細情報、楽器の写真などを集めることで楽器百科事典としても成長する。
【００２５】
なお、上述した電子楽器の変形例として楽器番号変換テーブルを日本地図やある都道府県など小さな範囲の緯度経度と楽器とを対応付けてもよい。この場合、セルの分解をあげることで、さらに細かなエリアごとの音色を提供することができる。例えば、日本でも青森の津軽三味線と沖縄の三線とを区別することができる。また、ある地域に複数の楽器が存在する場合には、１つのセルに対応する楽器番号を複数にすればよい。
【図面の簡単な説明】
【００２６】
【図１】本発明の基本的な構成を示す概念図である。
【図２】位置と情報の関係を示す概念図である。
【図３】本発明を適用した電子機器の構成を示すブロック図である。
【図４】情報提供処理の手順を示すフローチャートである。
【図５】楽器番号変換テーブルの構成を示す概念図である。
【図６】音色データベースの一例を示す図である。
【符号の説明】
【００２７】
１  記憶部、２  位置測定部、３  情報提供部、１０  電子機器、１４  位置測定部、１５  記憶部、１６情報提供部、１７  発音部、１８  表示部、１９  通信制御部、２０  サーバ
【図１】
2005084755.tif 000003
【図２】
2005084755.tif 000004
【図３】
2005084755.tif 000005
【図４】
2005084755.tif 000006
【図５】
2005084755.tif 000007
【図６】
2005084755.tif 000008